【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
心臓の左心室の拡張機能を改善するためのin-vivoにおける装置であって、
心室拡張期の間に左心室の壁領域の少なくとも一部に半径方向外向きの膨張力または膨張圧を潜在的に加えるための物理化学的特性および挙動を特徴とする少なくとも1つの構成要素を備えてなり、
(a) この装置は、停止状態で、心臓の左心室に作動し得る形で連結されるものであり、
(b) 前記少なくとも1つの構成要素の潜在的な半径方向外向きの膨張力または膨張圧は、心臓の心室収縮期の間に所定の大きさまで動的に増大され、
(c) 前記少なくとも1つの構成要素の前記所定の大きさの潜在的な半径方向外向きの膨張力または膨張圧は、心臓の心室拡張期の間に、左心室の前記壁領域に適用される対応する動力学的な半径方向外向きの膨張力または膨張圧に動的に変換されて、前記心室拡張期の間の心内静水圧を低下させることにより心臓の左心室の拡張機能を改善する、上記装置。
【請求項２】
前記少なくとも1つの構成要素が、１種類の材料および複数の異なる種類の材料からなる群から選択される材料から構成されている、請求項１に記載の装置。
【請求項３】
前記少なくとも1つの構成要素が、心臓および左心室の実際のすなわち実測した動的な幾何学的配置、形状、形態および寸法に応じて特定的に決定される可変の幾何学的配置、形状、形態および寸法を有する、請求項１に記載の装置。
【請求項４】
前記少なくとも1つの構成要素が、線状、直線状、非線状、湾曲状、曲線状、角状、平面状、非平面状、分岐状、厚い、粗い、薄い、微細な、長い、短い、およびそれらの組合せからなる群から選択される少なくとも1つの物理的外観または記述子により特徴付けられる可変の幾何学的配置、形状および形態を有する、請求項１に記載の装置。
【請求項５】
前記少なくとも1つの構成要素が、円形、円盤形、円錐形、球形、回転楕円形、楕円形、長円形、放物線形、放物面形、双曲線形、双曲面形、スパイラル形、ヘリックス形、三角形、正方形および矩形のような多角形、ならびにそれらの組合せからなる群から選択される少なくとも1つの物理的外観または記述子により特徴付けられる可変の幾何学的配置、形状および形態を有する、請求項１に記載の装置。
【請求項６】
前記少なくとも1つの構成要素が、一体型、非一体型、連続型、不連続型または非連続型、接触型、不接触型または非接触型、およびそれらの組合せからなる群から選択される少なくとも1つの物理的外観または記述子により特徴付けられる可変の幾何学的配置、形状および形態を有する、請求項１に記載の装置。
【請求項７】
前記少なくとも1つの構成要素が、程度または度合が可変の対称性、程度または度合が可変の非対称性、およびそれらの組合せからなる群から選択される少なくとも1つの物理的外観または記述子により特徴付けられる可変の幾何学的配置、形状および形態を有する、請求項１に記載の装置。
【請求項８】
前記少なくとも1つの構成要素が、その表面および容積が平滑な、平坦な、ザラザラした、隆起または凸凹した、ギザギザした、波状の、鋸歯形の、屈曲した、平面状、非平面状、閉鎖形、開放形、切抜または中空パターンがないことを特徴とする完全な中実の、切抜もしくは中空パターンを特徴とする不完全な中実の、ならびにそれらの組合せからなる群から選択される少なくとも1つの物理的外観または記述子により特徴付けられる可変の幾何学的配置、形状および形態を有する、請求項１に記載の装置。
【請求項９】
前記少なくとも1つの構成要素が、それぞれ約10ミクロン〜約8cmの範囲のミクロンからセンチメートルのオーダーの寸法の長さ、高さおよび幅、深度または厚みを有する、請求項１に記載の装置。
【請求項１０】
前記少なくとも1つの構成要素の長手方向の長さが約0.5cm〜約8cmの範囲であり、最も幅の広い端部の径が約0.1〜約6.0cmの範囲である、請求項１に記載の装置。
【請求項１１】
前記少なくとも1つの構成要素の少なくとも一部または一領域を、該装置が配置される左心室の壁領域の前記少なくとも一部に固定、付着および／または取付けるための少なくとも1つの構成要素または機構をさらに備える、請求項１に記載の装置。
【請求項１２】
前記固定、付着および／または取付け用の構成要素または機構が、１種類の材料および複数の異なる種類の材料からなる群から選択される材料から構成され、前記材料が可変の幾何学的配置、形状、形態および寸法を有する、請求項１１に記載の装置。
【請求項１３】
前記固定、付着および／または取付け用の構成要素または機構が、１種類の材料および複数の異なる種類の材料からなる群から選択される材料から構成され、前記材料が可変の幾何学的配置、形状、形態および寸法を有しており；前記固定、付着および／または取付け用の構成要素または機構が、(i) 固定性、付着性、取付け性、およびそれらの組合せからなる群から選択される物理化学的特性および挙動を示し、且つ、(ii) (1)前記少なくとも1つの構成要素の前記機能との非干渉性、前記機能との相加性、および前記機能との相乗性からなる群から選択される物理化学的特性および挙動、(2) 心周期の間における心臓の全体的な機能に対する最小限の障害性の物理化学的特性および挙動、ならびに(3) 生体適合性の物理化学的特性および挙動を示す、請求項１１に記載の装置。
【請求項１４】
前記固定、付着および／または取付け用の構成要素または機構が、生体適合性ピン、生体適合性針、生体適合性スパイク、生体適合性スクリュー、生体適合性クランプ、生体適合性糊剤、生体適合性接着剤、手術用縫合糸、およびそれらの組合せからなる群から選択される、請求項１１に記載の装置。
【請求項１５】
前記固定、付着および／または取付け用の構成要素または機構が、それぞれ約10ミクロン〜約8cmの範囲のミクロンからセンチメートルオーダーの寸法の長さ、高さおよび幅、深度または厚みを有する、請求項１１に記載の装置。
【請求項１６】
前記固定、付着および／または取付け用の構成要素または機構のタイプが、非経壁タイプ、経壁タイプ、およびそれらの組合せからなる群から選択される、請求項１１に記載の装置。
【請求項１７】
前記少なくとも1つの構成要素が、最小侵襲手術法を用いて所定の場所に挿入される、請求項１に記載の装置。
【請求項１８】
前記少なくとも1つの構成要素を左心室に送達および設置するために、該少なくとも1つの構成要素が、カテーテル法、胸腔鏡法、開胸術、経心尖的設置術、開心術、およびそれらの組合せからなる群から選択される手術法を用いて所定の場所に挿入される、請求項１に記載の装置。
【請求項１９】
前記少なくとも1つの構成要素によって左心室の壁領域の前記少なくとも一部にかけられる前記半径方向外向きの膨張力または膨張圧のタイプが、押力、引張力、および引張力と押力、からなる群から選択される、請求項１に記載の装置。
【請求項２０】
前記少なくとも1つの構成要素によって左心室の壁領域の前記少なくとも一部にかけられる前記半径方向外向きの膨張力または膨張圧のタイプが、押力、引張力、および引張力と押力、からなる群から選択され；前記所定の大きさが約5mmHg〜約20mmHgの範囲の圧力である、請求項１に記載の装置。
【請求項２１】
前記少なくとも1つの構成要素によって左心室の壁領域の前記少なくとも一部にかけられる前記半径方向外向きの膨張力または膨張圧のタイプが、押力、引張力、および引張力と押力、からなる群から選択され；心臓の前記心室拡張期の間に左心室拡張末期圧（LVEDP）を約6mmHg〜約12mmHgの範囲まで低下させる、請求項１に記載の装置。
【請求項２２】
前記少なくとも1つの構成要素によって左心室の壁領域の前記少なくとも一部にかけられる前記半径方向外向きの膨張力または膨張圧のタイプが、押力、引張力、および引張力と押力、からなる群から選択され；前記所定の大きさが約5mmHg〜約20mmHgの範囲の圧力であり；そして心臓の前記心室拡張期の間に左心室拡張末期圧（LVEDP）を約6mmHg〜約12mmHgの範囲まで低下させる、請求項１に記載の装置。
【請求項２３】
弾性の物理化学的特性および挙動を特徴とする少なくとも1つの弾性構成要素を備え；前記少なくとも1つの弾性構成要素が、左心室の壁領域の前記少なくとも一部に隣接して配置され、且つ弾性タイプの前記半径方向外向きの膨張力または膨張圧を左心室の前記壁領域に潜在的に加える、請求項１に記載の装置。
【請求項２４】
前記少なくとも1つの弾性構成要素が、前記の弾性の物理化学的特性および挙動を示す、１種類の材料および複数の異なる種類の材料からなる群から選択される材料から構成される、請求項２３に記載の装置。
【請求項２５】
前記少なくとも1つの弾性構成要素が、１種類の材料および複数の異なる種類の材料からなる群から選択される材料から構成され、前記材料が、前記の弾性の物理化学的特性および挙動を示す、純粋な金属、金属合金、およびそれらの組合せからなる群から選択される、請求項２３に記載の装置。
【請求項２６】
前記少なくとも1つの弾性構成要素が、１種類の材料および複数の異なる種類の材料からなる群から選択される材料から構成され、前記材料が、前記の弾性の物理化学的特性および挙動を示す、純粋なタングステン金属、純粋な白金金属および純粋なチタン金属からなる群から選択される純粋な金属、ニチノール合金およびステンレス鋼合金からなる群から選択される金属合金、ならびにそれらの組合せからなる群から選択される、請求項２３に記載の装置。
【請求項２７】
左心室の前記壁領域が左心室の内壁表面であり；前記少なくとも1つの弾性構成要素が、左心室の前記内壁表面の少なくとも一部に隣接して配置され、且つ押すタイプの前記弾性による半径方向外向きの膨張力または膨張圧を左心室の前記内壁表面に潜在的に加える、請求項２３に記載の装置。
【請求項２８】
複数の弾性アーム部または伸張部を特徴とする一体型で単一の前記弾性構成要素を備える、請求項２７に記載の装置。
【請求項２９】
異なる幾何学的配置、形状、形態および寸法を有する複数の弾性アーム部または伸張部を特徴とする一体型で単一の前記弾性構成要素を備える、請求項２７に記載の装置。
【請求項３０】
少なくとも1つの弾性下方基底部または環形成部から可変角度で長手方向に放射状に伸びている複数の弾性アーム部または伸張部を特徴とする、一体型で単一の前記弾性構成要素を備え；前記弾性アーム部または伸張部の下端領域が、前記少なくとも1つの弾性下方基底部または環形成部によって互いに一体化されて連続している、請求項２７に記載の装置。
【請求項３１】
異なる幾何学的配置、形状、形態および寸法を有する、少なくとも1つの弾性下方基底部または環形成部から可変角度で長手方向に放射状に伸びている複数の弾性アーム部または伸張部を特徴とする、一体型で単一の前記弾性構成要素を備え；前記弾性アーム部または伸張部の下端領域が、前記少なくとも1つの弾性下方基底部または環形成部によって互いに一体化されて連続している、請求項２７に記載の装置。
【請求項３２】
異なる幾何学的配置、形状、形態および寸法を有する、少なくとも1つの弾性下方基底部または環形成部から可変角度で長手方向に放射状に伸びている複数の弾性アーム部または伸張部を特徴とする、一体型で単一の前記弾性構成要素を備え；前記弾性アーム部または伸張部が、前記少なくとも1つの弾性下方基底部または環形成部の中心長手軸を中心として円形またはヘリックス形になっている、請求項２７に記載の装置。
【請求項３３】
左心室の前記内壁表面に沿って隣接して配置された複数の少なくとも2つの心室壁接触要素に連結されたバネとして機能し構成されている少なくとも1つの弾性要素または機構を特徴とする、一体型で単一の複合型の前記弾性構成要素を備える、請求項２７に記載の装置。
【請求項３４】
左心室の前記壁領域が左心室の外壁表面であり；前記少なくとも1つの弾性構成要素が、左心室の前記外壁表面の少なくとも一部に隣接して配置され、且つ引っ張るタイプの前記弾性による半径方向外向きの膨張力または膨張圧を左心室の前記外壁表面に潜在的に加える、請求項２３に記載の装置。
【請求項３５】
前記弾性構成要素の中心長手軸に対して少なくとも部分的に円筒形、部分的に環形、部分的に円錐形、完全に円筒形、完全に環形、および完全に円錐形からなる群から選択される幾何学的配置、形状および形態を有する、一体型で単一の前記弾性構成要素を備える、請求項２３に記載の装置。
【請求項３６】
前記弾性構成要素の中心長手軸に対して少なくとも部分的に円筒形、部分的に環形、部分的に円錐形、完全に円筒形、完全に環形、および完全に円錐形からなる群から選択される幾何学的配置、形状および形態を有し、複数の中空セルなどの切抜または中空パターンとして不完全に中実の表面を有する、一体型で単一の前記弾性構成要素である、請求項２３に記載の装置。
【請求項３７】
左心室の前記壁領域が左心室の中間壁領域であり；前記少なくとも1つの弾性構成要素が、左心室の前記中間壁領域の少なくとも一部に隣接して配置され、且つ引っ張りと押しのタイプの前記弾性による半径方向外向きの膨張力または膨張圧を左心室の前記中間壁領域に潜在的に加える、請求項２３に記載の装置。
【請求項３８】
複数の弾性アーム部または伸張部を特徴とする一体型で単一の前記弾性構成要素を備える、請求項３７に記載の装置。
【請求項３９】
異なる幾何学的配置、形状、形態および寸法を有する複数の弾性アーム部または伸張部を特徴とする一体型で単一の前記弾性構成要素を備える、請求項３７に記載の装置。
【請求項４０】
少なくとも1つの弾性下方基底部または環形成部から可変角度で長手方向に放射状に伸びる複数の弾性アーム部または伸張部を特徴とする、一体型で単一の前記弾性構成要素を備え；前記弾性アーム部または伸張部の下端領域が、前記少なくとも1つの弾性下方基底部または環形成部によって互いに一体化されて連続している、請求項３７に記載の装置。
【請求項４１】
異なる幾何学的配置、形状、形態および寸法を有する、少なくとも1つの弾性下方基底部または環形成部から可変角度で長手方向に放射状に伸びる複数の弾性アーム部または伸張部を特徴とする、一体型で単一の前記弾性構成要素を備え；前記弾性アーム部または伸張部の下端領域が、前記少なくとも1つの弾性下方基底部または環形成部によって互いに一体化されて連続している、請求項３７に記載の装置。
【請求項４２】
左心室の前記壁領域が、左心室の中間壁領域および内壁表面であり；前記少なくとも1つの弾性構成要素が、左心室の前記中間壁領域の少なくとも一部に隣接して配置され、且つ引張りと押しのタイプの前記弾性による半径方向外向きの膨張力または膨張圧を左心室の前記中間壁領域に潜在的に加え；そして前記少なくとも1つの弾性構成要素が、左心室の前記内壁表面の少なくとも一部に隣接して配置され、且つ押すタイプの前記弾性による半径方向外向きの膨張力または膨張圧を左心室の前記内壁表面に潜在的に加える、請求項２３に記載の装置。
【請求項４３】
複数の弾性アーム部または伸張部を特徴とする、一体型で単一の前記弾性構成要素を備える、請求項４２に記載の装置。
【請求項４４】
異なる幾何学的配置、形状、形態および寸法を有する複数の弾性アーム部または伸張部を特徴とする、一体型で単一の前記弾性構成要素を備える、請求項４２に記載の装置。
【請求項４５】
少なくとも1つの弾性下方基底部または環形成部から可変角度で長手方向に放射状に伸びる複数の弾性アーム部または伸張部を特徴とする、一体型で単一の前記弾性構成要素を備え；前記弾性アーム部または伸張部の下端領域が、前記少なくとも1つの弾性下方基底部または環形成部によって互いに一体化されて連続している、請求項４２に記載の装置。
【請求項４６】
異なる幾何学的配置、形状、形態および寸法を有し、少なくとも1つの弾性下方基底部または環形成部から可変角度で長手方向に放射状に伸びる複数の弾性アーム部または伸張部を特徴とする、一体型で単一の前記弾性構成要素を備え；前記弾性アーム部または伸張部の下端領域が、前記少なくとも1つの弾性下方基底部または環形成部によって互いに一体化されて連続している、請求項４２に記載の装置。
【請求項４７】
磁気反発力の物理化学的特性および挙動を特徴とする少なくとも1つの磁性構成要素を備え；前記少なくとも1つの磁性構成要素が、左心室の壁領域の前記少なくとも一部に隣接して配置され、且つ磁気反発力タイプの前記半径方向外向きの膨張力または膨張圧を左心室の前記壁領域に潜在的に加える、請求項１に記載の装置。
【請求項４８】
前記少なくとも1つの磁性構成要素が、前記磁気反発力の物理化学的特性および挙動を示す、１種類の材料および複数の異なる種類の材料からなる群から選択される材料から構成される、請求項４７に記載の装置。
【請求項４９】
前記少なくとも1つの磁性構成要素が、１種類の材料および複数の異なる種類の材料からなる群から選択される材料から構成され、前記材料が、前記磁気反発力の物理化学的特性および挙動を示す、純粋な磁性金属、磁性金属合金、およびそれらの組合せからなる群から選択される、請求項４７に記載の装置。
【請求項５０】
前記少なくとも1つの磁性構成要素が、１種類の材料および複数の異なる種類の材料からなる群から選択される材料から構成され、前記材料が、純粋な鉄金属、純粋なニッケル金属、および純粋なコバルト金属からなる群から選択される純粋な磁性金属、ネオジム鉄合金、およびサマリウムコバルト合金からなる群から選択される磁性金属合金、ならびにそれらの組合せからなる群から選択される、請求項４７に記載の装置。
【請求項５１】
前記少なくとも1つの磁性構成要素が、それぞれ北極および南極からなる2つの反対の磁極を有する少なくとも2つの別個の双極磁気要素または磁石を特徴とし、前記少なくとも2つの別個の双極磁気要素または磁石の同じ極同士が、左心室の前記壁領域に対して前記磁気反発力による半径方向外向きの膨張力または膨張圧を生じさせるために、互いに向かい合って配置されている、請求項４７に記載の装置。
【請求項５２】
前記磁気要素または磁石が、矩形または棒状の磁石、ディスク型またはエッジ型の磁石、およびそれらの組合せからなる群から選択される、請求項５１に記載の装置。
【請求項５３】
前記磁気要素または磁石が、矩形または棒状の磁石である、請求項５１に記載の装置。
【請求項５４】
前記磁気要素または磁石が、ディスク型またはエッジ型の磁石である、請求項５１に記載の装置。
【請求項５５】
前記少なくとも1つの磁性構成要素が、１種類の材料および複数の異なる種類の材料からなる群から選択される材料の中に封入されており、前記材料が、可変の幾何学的配置、形状、形態および寸法を有し、(1)前記装置の前記磁気反発力機能との非干渉性、前記機能との相加性、および前記機能との相乗性からなる群から選択される物理化学的特性および挙動、(2) 心周期の間における心臓の全体的な機能に対する最小限の障害性の物理化学的特性および挙動、ならびに(3) 生体適合性の物理化学的特性および挙動を示す、請求項４７に記載の装置。
【請求項５６】
左心室の前記壁領域が左心室の内壁表面であり；前記少なくとも1つの磁性構成要素が、左心室の前記内壁表面の少なくとも一部に隣接して配置され、且つ、押すタイプの前記磁気反発力による半径方向外向きの膨張力または膨張圧を左心室の前記内壁表面に潜在的に加える、請求項４７に記載の装置。
【請求項５７】
前記少なくとも1つの磁性構成要素が、それぞれ北極および南極からなる2つの反対の磁極を有する少なくとも2つの別個の双極磁気要素または磁石を特徴とし、前記少なくとも2つの別個の双極磁気要素または磁石の同じ極同士が、左心室の前記内壁表面に対して前記押すタイプの磁気反発力による半径方向外向きの膨張力または膨張圧を生じさせるために、互いに向かい合って配置されている、請求項５６に記載の装置。
【請求項５８】
前記磁気要素または磁石が、左心室の前記内壁表面の湾曲に沿って、同一の水平面または水平行に配置される、請求項５７に記載の装置。
【請求項５９】
前記磁気要素または磁石が、左心室の前記内壁表面の湾曲に沿って、複数の異なる水平面または水平行の組合せに配置される、請求項５７に記載の装置。
【請求項６０】
前記磁気要素または磁石が、左心室の前記内壁表面の湾曲に沿って、複数の異なる水平面または水平行の組合せおよび複数の異なる垂直面または垂直列の組合せに配置される、請求項５７に記載の装置。
【請求項６１】
前記磁気要素または磁石が、矩形または棒状の磁石、ディスク型またはエッジ型の磁石、およびそれらの組合せからなる群から選択される、請求項５７に記載の装置。
【請求項６２】
前記磁気要素または磁石が、矩形または棒状の磁石である、請求項５７に記載の装置。
【請求項６３】
前記磁気要素または磁石が、ディスク型またはエッジ型の磁石である、請求項５７に記載の装置。
【請求項６４】
左心室の前記壁領域が左心室の外壁表面であり；前記少なくとも1つの磁性構成要素が、左心室の前記外壁表面の少なくとも一部に隣接して配置され、且つ引っ張るタイプの前記磁気反発力による半径方向外向きの膨張力または膨張圧を左心室の前記外壁表面に潜在的に加える、請求項４７に記載の装置。
【請求項６５】
前記少なくとも1つの磁性構成要素が、それぞれ北極および南極からなる2つの反対の磁極を有する少なくとも2つの別個の双極磁気要素または磁石を特徴とし、前記少なくとも2つの別個の双極磁気要素または磁石の同じ極同士が、左心室の前記外壁表面に対して前記引っ張るタイプの磁気反発力による半径方向外向きの膨張力または膨張圧を生じさせるために、互いに向かい合って配置されている、請求項６４に記載の装置。
【請求項６６】
前記磁気要素または磁石が、左心室の前記外壁表面の湾曲に沿って、同一の水平面または水平行に配置される、請求項６５に記載の装置。
【請求項６７】
前記磁気要素または磁石が、左心室の前記外壁表面の湾曲に沿って、複数の異なる水平面または水平行の組合せに配置される、請求項６５に記載の装置。
【請求項６８】
前記磁気要素または磁石が、左心室の前記外壁表面の湾曲に沿って、複数の異なる水平面または水平行の組合せおよび複数の異なる垂直面または垂直列の組合せに配置される、請求項６５に記載の装置。
【請求項６９】
前記磁気要素または磁石が、矩形または棒状の磁石、ディスク型またはエッジ型の磁石、およびそれらの組合せからなる群から選択される、請求項６５に記載の装置。
【請求項７０】
前記磁気要素または磁石が、矩形または棒状の磁石である、請求項６５に記載の装置。
【請求項７１】
前記磁気要素または磁石が、ディスク型またはエッジ型の磁石である、請求項６５に記載の装置。
【請求項７２】
左心室の前記壁領域が左心室の中間壁領域であり；前記少なくとも1つの磁性構成要素が、左心室の前記中間壁領域の少なくとも一部に隣接して配置され、且つ引っ張りと押しのタイプの前記磁気反発力による半径方向外向きの膨張力または膨張圧を左心室の前記中間壁領域に潜在的に加える、請求項４７に記載の装置。
【請求項７３】
前記少なくとも1つの磁性構成要素が、それぞれ北極および南極からなる2つの反対の磁極を有する少なくとも2つの別個の双極磁気要素または磁石を特徴とし、前記少なくとも2つの別個の双極磁気要素または磁石の同じ極同士が、左心室の前記中間壁領域に対して前記引っ張りと押しのタイプの磁気反発力による半径方向外向きの膨張力または膨張圧を生じさせるために、互いに向かい合って配置されている、請求項７２に記載の装置。
【請求項７４】
前記磁気要素または磁石が、左心室の前記中間壁領域の湾曲に沿って、同一の水平面または水平行に配置される、請求項７３に記載の装置。
【請求項７５】
前記磁気要素または磁石が、左心室の前記中間壁領域の湾曲に沿って、複数の異なる水平面または水平行の組合せに配置される、請求項７３に記載の装置。
【請求項７６】
前記磁気要素または磁石が、左心室の前記中間壁領域の湾曲に沿って、複数の異なる水平面または水平行の組合せおよび複数の異なる垂直面または垂直列の組合せに配置される、請求項７３に記載の装置。
【請求項７７】
前記磁気要素または磁石が、矩形または棒状の磁石、ディスク型またはエッジ型の磁石、およびそれらの組合せからなる群から選択される、請求項７３に記載の装置。
【請求項７８】
前記磁気要素または磁石が、矩形または棒状の磁石である、請求項７３に記載の装置。
【請求項７９】
前記磁気要素または磁石が、ディスク型またはエッジ型の磁石である、請求項７３に記載の装置。
【請求項８０】
(i) 左心室の前記壁領域の少なくとも一部に隣接して配置され、且つ弾性タイプの前記半径方向外向きの膨張力または膨張圧を左心室の前記壁領域に潜在的に加える、弾性の物理化学的特性および挙動を特徴とする少なくとも1つの弾性構成要素と、
(ii) 左心室の前記壁領域の少なくとも一部に隣接して配置され、且つ磁気反発力タイプの前記半径方向外向きの膨張力または膨張圧を左心室の前記壁領域に潜在的に加える、磁気反発力の物理化学的特性および挙動を特徴とする少なくとも1つの磁性構成要素とを備える、請求項１に記載の装置。
【請求項８１】
前記少なくとも1つの弾性構成要素が、前記少なくとも1つの磁性構成要素と構造的に離れており；前記装置が、心室拡張期の間に前記半径方向外向きの膨張力または膨張圧を左心室の前記壁領域の少なくとも一部に加えるための、前記少なくとも1つの弾性構成要素と前記少なくとも1つの磁性構成要素との相加型の組合せとして機能する、請求項８０に記載の装置。
【請求項８２】
前記少なくとも1つの弾性構成要素が、前記少なくとも1つの磁性構成要素と構造的に一体化しており；前記装置が、心室拡張期の間に前記半径方向外向きの膨張力または膨張圧を左心室の前記壁領域の少なくとも一部に加えるための、前記少なくとも1つの弾性構成要素と前記少なくとも1つの磁性構成要素との一体型の組合せとして機能する、請求項８０に記載の装置。